(57)【要約】      （修正有）【課題】水や土砂等をせき止める構造体に利用可能でありながら、様々な形態の保護対象に柔軟に対応可能であるブロック体およびブロック連結体を提供する。【解決手段】水や土砂等をせき止める遮蔽壁の形成に用いられるブロック体１ａであって、遮蔽壁の一部となる壁部１１と、壁部に連接し、地面へ固定される固定部１２と、を備える。このブロック体を複数個有し、ブロック体それぞれは、側方に隣り合う他のブロック体との連結に用いられる連結部を備え、連結によってブロック体それぞれの壁部が一体化し、遮蔽壁が形成される。【選択図】図１
0003231909.tif 000002
【実用新案登録請求の範囲】
【請求項１】
水や土砂等をせき止める遮蔽壁の形成に用いられるブロック体であって、
前記遮蔽壁の一部となる壁部と、
前記壁部に連接し、地面へ固定される固定部と、
を備えたことを特徴とするブロック体。
【請求項２】
請求項１に記載のブロック体を複数個有し、
前記ブロック体それぞれは、側方に隣り合う他の前記ブロック体との連結に用いられる連結部を備え、
前記連結によって前記ブロック体それぞれの前記壁部が一体化し、前記遮断壁が形成されることを特徴とするブロック体セット。
【請求項３】
前記ブロック体それぞれは、
前面が前記遮蔽壁の壁面となるように配置された略板状の前記壁部と、
前記壁部の下端に連接し、表面が下方へ向くように配置された略板状の前記固定部と、
前記壁部と前記固定部の両側部それぞれに連接し、表面が側方へ向く側面となるように配置された略板状の支持部それぞれと、を備えたことを特徴とする請求項２に記載のブロック体セット。
【請求項４】
前記ブロック体それぞれの前記支持部に、前記連結部として、ボルトを用いて前記連結を可能とする連結用孔が設けられており、
連結された前記ブロック体同士は、前記支持部の側面同士が接することを特徴とする請求項３に記載のブロック体セット。
【請求項５】
少なくとも一つの前記ブロック体は、一方の前記支持部の側面に対して、他方の前記支持部の側面を傾斜させたことを特徴とする請求項４に記載のブロック体セット。
【請求項６】
少なくとも一つの前記ブロック体は、前記壁部の前面が断面視弧状の曲面に形成されていることを特徴とする請求項３から請求項５の何れかに記載のブロック体セット。
【請求項７】
前記ブロック体それぞれは、ダクタイル鋳鉄により形成されていることを特徴とする請求項２から請求項６の何れかに記載のブロック体セット。
【請求項８】
請求項２から請求項７の何れかに記載のブロック体セットにおける複数個の前記ブロック体が連結されており、前記遮蔽壁を有することを特徴とするブロック連結体。
【考案の詳細な説明】
【技術分野】
【０００１】
本考案は、ブロック体、複数のブロック体を有するブロック体セット、およびこれを用いて形成されるブロック連結体に関し、特に、水や土砂等をせき止めるものに関する。
【背景技術】
【０００２】
近年、大雨や台風による河川氾濫などによる被害が大きくなってきており、水や土砂等をせき止めて被害を回避或いは最小化することの重要性が高まっている。水や土砂等をせき止める構造体の一例として、例えば特許文献１には、建物の出入口等の建物開口から建物の内部への水の浸入を確実に防ぐとされる止水板及びこれを用いた止水構造が開示されている。
【先行技術文献】
【特許文献】
【０００３】
【特許文献１】特開2020-63664号公報
【考案の概要】
【考案が解決しようとする課題】
【０００４】
水や土砂等の浸入から保護すべき保護対象である敷地などの形態（広さや形状等）は、例えば個人住宅等の狭い敷地である場合や、事業施設等の広い敷地である場合など、様々である。そのため水や土砂等をせき止める構造体として、様々な形態の保護対象に柔軟に対応できるものが望まれる。
【０００５】
本考案は上述した問題点に鑑み、水や土砂等をせき止める構造体に利用可能でありながら、様々な形態の保護対象に柔軟に対応容易となるブロック体の提供を目的とする。また、当該ブロック体を複数個有するブロック体セット、およびこれを用いて形成されるブロック連結体の提供を目的とする。
【課題を解決するための手段】
【０００６】
本考案に係るブロック体は、水や土砂等をせき止める遮蔽壁の形成に用いられるブロック体であって、前記遮蔽壁の一部となる壁部と、前記壁部に連接し、地面へ固定される固定部と、を備えた構成とする。また本考案に係るブロック体セットは、上記構成のブロック体を複数個有し、前記ブロック体それぞれは、側方に隣り合う他の前記ブロック体との連結に用いられる連結部を備え、前記連結によって前記ブロック体それぞれの前記壁部が一体化し、前記遮断壁が形成される構成とする。上記構成によれば、水や土砂等をせき止める構造体に利用可能でありながら、様々な形態の保護対象に柔軟に対応容易となる。
【０００７】
上記ブロック体セットの構成としてより具体的には、前記ブロック体それぞれは、前面が前記遮蔽壁の壁面となるように配置された略板状の前記壁部と、前記壁部の下端に連接し、表面が下方へ向くように配置された略板状の前記固定部と、前記壁部と前記固定部の両側部それぞれに連接し、表面が側方へ向く側面となるように配置された略板状の支持部それぞれと、を備えた構成としても良い。
【０００８】
上記構成としてより具体的には、前記ブロック体それぞれの前記支持部に、前記連結部として、ボルトを用いて前記連結を可能とする連結用孔が設けられており、連結された前記ブロック体同士は、前記支持部の側面同士が接する構成としても良い。更に当該構成としてより具体的には、少なくとも一つの前記ブロック体は、一方の前記支持部の側面に対して、他方の前記支持部の側面を傾斜させた構成としても良い。なおここでの傾斜は、傾斜角が９０°である場合も含む概念である。
【０００９】
上記構成としてより具体的には、少なくとも一つの前記ブロック体は、前記壁部の前面が断面視弧状の曲面に形成されている構成としても良い。なおここでの「断面」は、上下方向と平行であって壁部の前面と直交する鉛直面で切断した断面を指す。
【００１０】
上記構成としてより具体的には、前記ブロック体それぞれは、ダクタイル鋳鉄により形成されている構成としても良い。また本考案に係るブロック連結体は、上記構成のブロック体セットにおける複数個の前記ブロック体が連結されており、前記遮蔽壁を有する構成とする。
【考案の効果】
【００１１】
本考案に係るブロック体によれば、水や土砂等をせき止める構造体に利用可能でありながら、様々な形態の保護対象に柔軟に対応容易となる。
【図面の簡単な説明】
【００１２】
【図１】本考案の実施形態に係るＡ型ブロック体の構成図である。
【図２】本考案の実施形態に係る埋込片付きＡ型ブロック体の構成図である。
【図３】本考案の実施形態に係るＢ型ブロック体の構成図である。
【図４】本考案の実施形態に係るＣ型ブロック体の構成図である。
【図５】本考案の実施形態に係る埋込片付きＣ型ブロック体の構成図である。
【図６】本考案の実施形態に係る第１ブロック連結体の構成図である。
【図７】本考案の実施形態に係る第２ブロック連結体の構成図である。
【図８】本考案の実施形態に係る第３ブロック連結体の構成図である。
【考案を実施するための形態】
【００１３】
本考案に係る実施形態の例について、各図面を参照しながら以下に説明する。なお以下の説明における上下、左右および前後の各方向は各図に示すとおりである。上下方向は、ブロック体やブロック連結体が通常使用される際の鉛直方向に一致する。また前方は、上下方向と直交する方向のうち壁部の前面（水や土砂等をせき止める面）が露出する方向とする。なおブロック体における側方は、上下方向と直交する方向のうち他のブロック体が連結され得る方向であって、Ｂ型ブロック体１ｂ以外のブロック体１についての側方は左または右方向に一致する。
【００１４】
本実施形態のブロック体セットは、後述するブロック連結体の形成に用いられるブロック体１として、Ａ型ブロック体１ａ、埋込片付きＡ型ブロック体１ａｘ、Ｂ型ブロック体１ｂ、Ｃ型ブロック体１ｃ、および埋込片付きＣ型ブロック体１ｃｘのそれぞれを多数備えているとする。これら各種のブロック体１の構成等について、以下に説明する。
【００１５】
図１は、Ａ型ブロック体１ａの構成図である。本図に示すようにＡ型ブロック体１ａは、壁部１１、固定部１２、および左右それぞれの支持部１３を備えており、左右対称の形状となるように全体がダクタイル鋳鉄により一体的に形成されている。
【００１６】
壁部１１は、略板状に形成されており、前面が斜め前を向くように配置されている。より詳細に説明すると、壁部１１は、フラットな前面が前方に露出する矩形の平板形状（左右に延びる対辺と上下に延びる対辺を有する矩形の外縁を有する平板形状）を、前面が斜め前上方を向くように傾斜させた形態となっている。なおＡ型ブロック体１ａにおいて、壁部１１の前面は平面状であり、断面視（鉛直面で切断した断面を見て）直線状である。
【００１７】
図１の例における壁部１１は、厚み（平板形状の肉厚）が約10mm、左右方向寸法が約250mm、上下方向寸法が約500mm、および、前面の傾斜角（鉛直面に対する角度）が約5.7°に設定されている。但し壁部１１の具体的形態は、本考案の趣旨を逸脱しない範囲で適宜変更可能である。
【００１８】
固定部１２は、略板状に形成されており、壁部１１の下部に連接し、表面が下方へ向くように配置されている。より詳細に説明すると、固定部１２は、表面が下向きの矩形の平板形状（上方視点で、左右に延びる対辺と前後に延びる対辺を有する矩形の外縁を有する平板形状）に、貫通孔１２ａおよび計４個の固定用孔１２ｂを設けた形態となっており、固定部１２の前側の縁は壁部１１の下側の縁に連接している。
【００１９】
貫通孔１２ａは、固定部１２の中央近傍を空洞とする孔である。貫通孔１２ａを設けることにより、その分、固定部１２の軽量化が実現されている。固定用孔１２ｂは、アンカーを用いて地面への固定を可能とする固定用の孔であり、固定部１２の左側および右側のそれぞれにおいて、前寄りの位置と後寄りの位置に設けられている。
【００２０】
図１の例における固定部１２は、厚み（平板形状の肉厚）が約20mm、左右方向寸法が約250mm、および、前後方向寸法が約300mmに設定されている。また貫通孔１２ａは、左右方向寸法が約130mm、および、前後方向寸法が約210mmに設定されている。
【００２１】
固定用孔１２ｂは、直径22mmのドリルを用いて形成されており、中心位置は、固定部１２の左右の端から約30mm離れている。なお、前側の固定用孔１２ｂは固定部１２の前端から約100mm離れており、後側の固定用孔１２ｂは固定部１２の後端から約30mm離れている。但し固定部１２の具体的形態は、本考案の趣旨を逸脱しない範囲で適宜変更可能である。
【００２２】
左右それぞれの支持部１３は、略板状に形成されており、壁部１１と固定部１２の両側部（左側と右側の部分）それぞれに連接し、表面が側方へ向く側面となるように配置されている。より詳細に説明すると、左側の支持部１３の左側の表面は、一方の側方である左方へ向く側面であり、右側の支持部１３の右側の表面は、他方の側方である右方へ向く側面である。これらの支持部１３の側面は、他のブロック体１が連結されたとき、そのブロック体１における支持部１３の側面と接するように配置されている。また支持部１３は、三角形の外縁を有する平板形状（側方から見て、壁部１１の側部に連接する第１辺、固定部１２の側部に連接する第２辺、および第１辺と第２辺の端部同士を結ぶ第３辺を有した三角形の外縁を有する平板形状）に、貫通孔１３ａと連結用孔１３ｂを設けた形態となっている。
【００２３】
貫通孔１３ａは、左右それぞれの支持部１３の中央近傍を空洞とする孔であり、三角形の縁（側方から見て、支持部１３の外縁と概ね相似である三角形の縁）を有する孔である。貫通孔１３ａを設けることにより、その分、支持部１３の軽量化が実現されている。連結用孔１３ｂは、ボルトを用いて側方に隣り合う他のブロック体１との連結を可能とする孔である。左右の支持部１３それぞれに、上下方向および前後方向に位置が異なる３個の連結用孔１３ｂが設けられている。
【００２４】
図１の例における支持部１３は、厚み（平板形状の肉厚）が約10mm、上下方向寸法が約400mm、および、前後方向寸法が約200mmに設定されている。また貫通孔１３ａについて、下側の縁は固定部１２の上面と共通であり、前側の縁は側方から見て壁部１１の表面（前面）と平行に伸びるとともに当該表面から約40mm離れており、後側の縁は側方から見て支持部１３の後側の縁と平行に伸びるとともに当該縁から約40mm離れている。但し支持部１３の具体的形態は、本考案の趣旨を逸脱しない範囲で適宜変更可能である。
【００２５】
図２は、埋込片付きＡ型ブロック体１ａｘの構成図である。埋込片付きＡ型ブロック体１ａｘの構成は、埋込片１４を設けた点を除き、基本的にＡ型ブロック体１ａと同様である。
【００２６】
埋込片１４は、表面が左右へ向くように配置された三角形の外縁を有する平板形状であり、埋込片付きＡ型ブロック体１ａｘの左右方向中央位置に配置されている。図２の例では、埋込片１４の厚み（平板形状の肉厚）は約10mmである。また当該三角形の一辺は、壁部１１の後面に連接するとともに壁部１１の上端から下端まで伸びており、他の一辺は、固定部１２の上面に連接するとともに固定部１２の前端から後端まで伸びている。更に他の一辺は、壁部１１の上端から固定部１２の後端まで伸びている。
【００２７】
図３は、Ｂ型ブロック体１ｂの構成図である。Ｂ型ブロック体１ｂにおける壁部１１は、略板状に形成されており、前面が斜め前を向くように配置されているが、Ａ型ブロック体１ａとは異なり、壁部１１の前面は円錐台の側面の一部（中心角９０°に相当する部分）である曲面となっている。なおＢ型ブロック体１ｂにおいては、壁部１１の前面は断面視直線状の曲面である。
【００２８】
Ｂ型ブロック体１ｂにおいては、一方の支持部１３の側面に対して、他方の支持部１３の側面を９０°傾斜させている（つまり、上方視により９０°の角度が付けられている）。なおＢ型ブロック体１ｂにおいては、一方の側方（支持部の側面の向き）は、他方の側方から９０°ずれている。これにより後述するとおり、Ｂ型ブロック体１ｂを用いれば、ブロック連結体の遮蔽壁の伸びる方向を９０°変えることが可能となっている（図７を参照）。
【００２９】
なお壁部１１および支持部１３を上記の形態としたことに伴い、Ｂ型ブロック体１ｂにおける固定部１２は、上方視で中心角９０°の扇形としている。また当該固定部１２には、計３個の固定用孔１２ｂを設けるようにしている。上記の点を除き、Ｂ型ブロック体１ｃの構成は、基本的にはＡ型ブロック体１ａと同様である。
【００３０】
図４は、Ｃ型ブロック体１ｃの構成図である。Ｃ型ブロック体１ｃの壁部１１は、断面視弧状の曲面に形成されている。より詳細に説明すると、壁部１１は側方から見て、前面の上端と下端の前後方向位置がほぼ同じであって、前面の上下方向中央位置が最も後方に位置する円弧状（後方へ凸である円弧状）となっている。図４の例では、当該円弧状の曲率半径は約700mmである。
【００３１】
なお壁部１１を上記の形態としたことに伴い、Ｃ型ブロック体１ｃにおける支持部１３の前側の縁も弧状となっている。上記の点を除き、Ｃ型ブロック体１ｃの構成は、基本的にはＡ型ブロック体１ａと同様である。
【００３２】
図５は、埋込片付きＣ型ブロック体１ｃｘの構成図である。埋込片付きＣ型ブロック体１ｃｘの構成は、埋込片１４を設けた点を除き、基本的にＣ型ブロック体１ｃと同様である。
【００３３】
埋込片１４は、表面が左右へ向くように配置された概ね三角形の外縁を有する平板形状であり、埋込片付きＣ型ブロック体１ｃｘの左右方向中央位置に配置されている。図５の例では、埋込片１４の厚み（平板形状の肉厚）は約10mmである。また当該三角形の一辺は、壁部１１の後面に連接するとともに壁部１１の上端から下端まで伸びており、他の一辺は、固定部１２の上面に連接するとともに固定部１２の前端から後端まで伸びている。更に他の一辺は、壁部１１の上端から固定部１２の後端まで伸びている。但し、壁部１１の後面に連接する辺は、壁部１１が断面視弧状の曲面に形成されていることに伴い、弧状となっている。
【００３４】
上述した各種のブロック体１（１ａ〜１ｅ）を複数個備えるブロック体セットを用意しておけば、種々の状況に応じた適切なブロック体１を選んで連結し、水や土砂等をせき止める遮蔽壁を有したブロック連結体を設置することが可能である。
【００３５】
断面視直線状の平面又は曲面である壁面の遮蔽壁を有するブロック連結体を設置する際には、Ａ型ブロック体１ａ、埋込片付きＡ型ブロック体１ａｘ、およびＢ型ブロック体１ｂの中からブロック体１を選ぶ。これらのブロック体１は、側方両端において壁部１１の前面と連結用孔１３ｂが同じ位置に配置されており、側方に隣り合うブロック体１同士がボルトによって連結されると、壁部１１の前面同士は一連の平面または曲面を形成する。
【００３６】
一方、断面視弧状の曲面である壁面の遮蔽壁を有するブロック連結体を設置する際には、Ｃ型ブロック体１ｃおよび埋込片付きＣ型ブロック体１ｃｘの中からブロック体１を選ぶ。これらのブロック体１は、側方両端において壁部１１の前面と連結用孔１３ｂが同じ位置に配置されており、側方に隣り合うブロック体１同士がボルトによって連結されると、壁部１１の前面同士は一連の曲面を形成する。
【００３７】
断面視直線状の平面又は曲面である壁面の遮蔽壁を有するブロック連結体の具体例について、図６および図７を挙げて説明する。
【００３８】
図６は、Ａ型ブロック体１ａおよび埋込片付きＡ型ブロック体１ａｘを用いて形成された第１ブロック連結体９ａの構成図である。第１ブロック連結体９ａは、側方（図６の例では左右方向）に隣り合うブロック体１同士がボルト２を用いて連結されており、複数のブロック体１が左右方向へ並ぶように連結されて形成されている。
【００３９】
なおボルト２は、全ての連結用孔１３ｂに対応するように設けても良く、必要な連結強度が得られる範囲で、一部の連結用孔１３ｂのみに対応するように設けても良い。また第１ブロック連結体９ａは、アンカー３（アンカーボルト等）を用いて地面に固定される。ボルト２は、全ての固定用孔１２ｂに対応するように設けても良く、必要な固定強度が得られる範囲で、一部の固定用孔１２ｂのみに対応するように設けても良い。
【００４０】
図３に示す例では、左右両端それぞれに１個の埋込片付きＡ型ブロック体１ａｘが配置され、これらの間に５個のＡ型ブロック体１ａが配置されている。第１ブロック連結体９ａは、このように複数のブロック体１が連結して、遮断壁９１、固定ユニット９２、および支持ユニット９３を有するように形成されている。
【００４１】
遮断壁９１は、連結されたブロック体１それぞれの壁部１１が一体化して形成されたものであり、前方の水や土砂等をせき止めて、後方への浸入を阻止する役割を果たす。先述したとおり、各ブロック体１の壁部１１は、前後方向と直交する鉛直面に対して傾斜しているため、遮断壁９１の壁面（水や土砂等に接する表面）も同様に傾斜している。
【００４２】
固定ユニット９２は、連結されたブロック体１それぞれの固定部１２によって形成されたものであり、遮断壁９１の下側の縁から後方へ張り出しており、地面に固定される土台の役割を果たす。固定ユニット９２は、遮断壁９１の側方全体に亘る土台として機能し、第１ブロック連結体９ａを地面へ強固に固定させることが可能である。
【００４３】
支持ユニット９３は、連結されたブロック体１それぞれの支持部１３によって形成されたものであり、遮断壁９１と固定ユニット９２の間に配置され、遮断壁９１を後側から支持する役割を果たす。支持ユニット９３は、隣り合うブロック体１の支持部１３同士の側面が接し、当該支持部１３同士がボルト２によって一体化された形態となっており、遮蔽壁９１が伸びる方向へ間隔を設けて並ぶように配置される。
【００４４】
第１ブロック連結体９ａは、水や土砂等の浸入から保護すべき保護対象（敷地など）の境界近傍に設置することにより、保護対象への水や土砂等の浸入を防ぐことが可能となる。第１ブロック連結体９ａは、一のブロック体１をアンカー３で地面に固定した後、そのブロック体１の隣に別のブロック体１を配置し、これをアンカー３で地面に固定するとともにボルト２で隣り合うブロック体１同士を連結する、という作業を繰り返すことにより設置可能である。
【００４５】
この際、ブロック体１の１個あたりの質量は23〜24kg程度となっているため、作業者はブロック体１を運んで所望の位置に配置することが容易である。但し第１ブロック連結体９ａの設置方法は上述した方法に限られず、例えば、使用される全てのブロック体１をボルト２で予め連結して一体化しておき、この一体化されたブロック体１それぞれをアンカー３で地面に固定することにより、第１ブロック連結体９ａを設置しても良い。
【００４６】
また第１ブロック連結体９ａでは、左右両端のブロック体１として埋込片付きＡ型ブロック体１ａｘが採用されている。これにより、コンクリートの建造物の横に連接させて第１ブロック連結体９ａを設置する場合、埋込片付きＡ型ブロック体１ａｘの埋込片１４を含む部分（例えば側方端部から全体の３分の２程度を占める部分）を当該建造物のコンクリートに埋め込むことにより、埋込片１４を設けている分、埋込片付きＡ型ブロック体１ａｘを当該建造物へより強固に固定することが可能である。
【００４７】
なお第１ブロック連結体９ａの左右の一方の端部のみをコンクリートに埋め込む場合は、その箇所のブロック体１のみに埋込片付きＡ型ブロック体１ａｘを採用し、他は全てＡ型ブロック体１ａを採用すれば良い。また、第１ブロック連結体９ａの左右の何れの端部もコンクリートに埋め込まない場合は、全てＡ型ブロック体１ａを採用すれば良い。
【００４８】
また第１ブロック連結体９ａでは、遮蔽壁９１の壁面は斜め前上方を向くように傾斜しているため、その分、前方から衝突する水や土砂等の勢いを斜め上方へ逸らすことが容易である。そのため第１ブロック連結体９ａは、遮蔽壁９１の壁面を鉛直面とした場合に比べ、水や土砂等の勢いによる破損等は生じ難くなっている。更に第１ブロック連結体９ａでは、遮蔽壁９１の壁面は平面状となっているため、当該壁面を防水シート等のシートで覆った場合に、当該シートを壁面にフィットさせることが容易である。
【００４９】
図７は、Ａ型ブロック体１ａおよびＢ型ブロック体１ｂを用いて形成された第２ブロック連結体９ｂを示す構成図である。第２ブロック連結体９ｂは、１２個のＡ型ブロック体１ａと２個のＢ型ブロック体１ｂが用いられ、側方に隣り合うブロック体１同士がボルト２を用いて連結されており、複数のブロック体１が左右方向へ並ぶように連結されて形成されている。また第２ブロック連結体９ｂは、アンカー３を用いて地面に固定される。第２ブロック連結体９ｂの設置作業の手順は、基本的に第１ブロック連結体９ａと同様である。
【００５０】
図７に示す第２ブロック連結体９ｂによれば、Ｂ型ブロック体１ｂを設けることによって、遮蔽壁９１の水平方向へ伸びる方向が９０°曲げられている。この例のようにＢ型ブロック体１ｂを適宜用いることによって、第１ブロック連結体９ａとほぼ同等の機能を有しながらも、遮蔽壁９１の伸びる方向を変えたブロック連結体を設置することができ、保護対象となる敷地などの境界形状等に柔軟に対応することが可能である。
【００５１】
このように、一方の支持部１３の側面に対して他方の支持部１３の側面を傾斜させたブロック体を用いれば、この傾斜の角度の分だけ、遮蔽壁９１の伸びる方向を変えることが可能である。なお、Ｂ型ブロック体１ｂは当該傾斜の角度が９０°に設定されているが、この角度を別の角度としたブロック体１を、本実施形態のブロック体セットに設けておいても良い。また本実施形態のブロック体セットにおいて、当該傾斜の角度が異なるブロック体１のバリエーションを用意しておけば、その分、遮蔽壁９１の水平方向への伸びる方向を任意の位置で自由に変えることができ、保護対象となる敷地などの境界形状等により柔軟に対応することが可能となる。
【００５２】
次に、断面視弧状の曲面である壁面の遮蔽壁を有するブロック連結体の具体例について、図８を挙げて説明する。
【００５３】
図８は、Ｃ型ブロック体１ｃおよび埋込片付きＣ型ブロック体１ｃｘを用いて形成された第３ブロック連結体９ｃの構成図である。第３ブロック連結体９ｃは、側方に隣り合うブロック体１同士がボルト２を用いて連結されて形成されている。また第３ブロック連結体９ｃは、アンカー３を用いて地面に固定される。
【００５４】
図８に示す例では、左右両端それぞれに１個の埋込片付きＣ型ブロック体１ｃｘが配置され、これらの間に６個のＣ型ブロック体１ｃが配置されている。第３ブロック連結体９ｃの構成は、遮蔽壁９１の形状等を除き、基本的に第１ブロック連結体９ａと同様である。また、第３ブロック連結体９ｃの機能や設置作業の手順等は、基本的に第１ブロック連結体９ａと同様である。
【００５５】
また第３ブロック連結体９ｃでは、遮蔽壁９１の壁面は断面視弧状の曲面となっているため、前方から衝突する水や土砂等の勢いを斜め上方へ逸らすことが容易であるとともに、衝突して壁面を上がってくる水や土砂等が前方へ戻り易くなっている。これにより、遮蔽壁９１を超えて水や土砂等が後方へ浸入することを、より一層防ぎ易くすることが可能である。
【００５６】
また第３ブロック連結体９ｃでは、左右両端のブロック体１として埋込片付きＣ型ブロック体１ｃｘが採用されている。これにより、コンクリートの建造物の横に連接させて第３ブロック連結体９ｃを設置する場合、埋込片付きＣ型ブロック体１ｃｘの埋込片１４を含む部分（例えば側方端部から全体の３分の２程度を占める部分）を当該建造物のコンクリートに埋め込むことにより、埋込片１４を設けている分、埋込片付きＣ型ブロック体１ｃｘを当該建造物へより強固に固定することが可能である。
【００５７】
なお第３ブロック連結体９ｃの左右の一方の端部のみをコンクリートに埋め込む場合は、その箇所のブロック体１のみに埋込片付きＣ型ブロック体１ｃｘを採用し、他は全てＣ型ブロック体１ｃを採用すれば良い。また、第３ブロック連結体９ｃの左右の何れの端部もコンクリートに埋め込まない場合は、全てＣ型ブロック体１ｃを採用すれば良い。
【００５８】
以上に説明したブロック体１は、水や土砂等をせき止める遮蔽壁９１の形成に用いられるものであって、遮蔽壁９１の一部となる壁部１１と、壁部１１に連接し地面へ固定される固定部１２と、を備えている。そのためブロック体１によれば、水や土砂等をせき止める構造体に利用可能でありながら、様々な形態の保護対象に柔軟に対応容易となっている。
【００５９】
また本実施形態に係るブロック体セットは、ブロック体１を複数個有し、ブロック体１それぞれは、側方に隣り合う他のブロック体１との連結に用いられる連結用孔１３ｂ（連結部の一形態）を備え、当該連結によってブロック体１それぞれの壁部１１が一体化し、遮断壁９１が形成されるものとなっている。
【００６０】
なおブロック体１それぞれは、前面が遮蔽壁９１の壁面となるように配置された略板状の壁部１１と、壁部１１の下端に連接し、表面が下方へ向くように配置された略板状の固定部１２と、壁部１１と固定部１２の両側部それぞれに連接し、表面が側方へ向く側面となるように配置された略板状の支持部１３それぞれと、を備えている。
【００６１】
壁部１１、固定部１２、および支持部１３の重要な各部を略板状とし、更に固定部１２と支持部１３に貫通孔１２ａ，１３ａを設けたことにより、ブロック体１は、作業者が比較的容易に持ち運びできる程度に軽量化が実現されている。またブロック体１はダクタイル鋳鉄により形成されているため、引張り強さ・伸びなどに加えて粘り強さ（靭性）も優れており、水や土砂等の衝突などによる損傷や破損も極力抑えられる。
【００６２】
以上、本考案の実施形態について説明したが、本考案の構成は上記実施形態に限られず、考案の主旨を逸脱しない範囲で種々の変更を加えることが可能である。すなわち上記実施形態は、全ての点で例示であって、制限的なものではないと考えられるべきである。本考案の技術的範囲は、上記実施形態の説明ではなく、実用新案登録請求の範囲によって示されるものであり、実用新案登録請求の範囲と均等の意味及び範囲内に属する全ての変更が含まれると理解されるべきである。
【産業上の利用可能性】
【００６３】
本考案は、水や土砂等をせき止める構造体などに利用可能である。
【符号の説明】
【００６４】
１          ブロック体
１ａ        Ａ型ブロック体
１ａｘ      埋込片付きＡ型ブロック体
１ｂ        Ｂ型ブロック体
１ｃ        Ｃ型ブロック体
１ｃｘ      埋込片付きＣ型ブロック体
１１        壁部
１２        固定部
１２ａ      貫通孔
１２ｂ      固定用孔
１３        支持部
１３ａ      貫通孔
１３ｂ      連結用孔
２            ボルト
３            アンカー
９ａ          第１ブロック連結体
９ｂ          第１ブロック連結体
９ｃ          第１ブロック連結体
９１          遮断壁
９２          固定ユニット
９３          支持ユニット
【図１】
0003231909.tif 000003
【図２】
0003231909.tif 000004
【図３】
0003231909.tif 000005
【図４】
0003231909.tif 000006
【図５】
0003231909.tif 000007
【図６】
0003231909.tif 000008
【図７】
0003231909.tif 000009
【図８】
0003231909.tif 000010